(57)【要約】【課題】蓋部材が大きくなる場合であっても、カートリッジの破損や水漏れの発生を防ぐことができる構造の浄水器用カートリッジを提供する。【解決手段】水を浄化するろ材と、該ろ材を収納するケーシングとを有する浄水器用カートリッジであって、前記ケーシングは、開口部を有する筒状体と、該筒状体の内部に配設固定されて前記開口部を封止する蓋部材とを有し、該蓋部材の外面と前記筒状体の内面とが溶着していることを特徴とする浄水器用カートリッジとする。【選択図】図２
2009285567.tif 000002
【特許請求の範囲】
【請求項１】
水を浄化するろ材と、該ろ材を収納するケーシングとを有する浄水器用カートリッジであって、前記ケーシングは、開口部を有する筒状体と、該筒状体の内部に配設固定されて前記開口部を封止する蓋部材とを有し、該蓋部材の外面と前記筒状体の内面とが溶着していることを特徴とする浄水器用カートリッジ。
【請求項２】
前記筒状体の開口部より前記蓋部材が大きいことを特徴とする請求項１に記載の浄水器用カートリッジ。
【発明の詳細な説明】
【技術分野】
【０００１】
本発明は、水道水等の水をさらに浄化するのに好適な浄水器用カートリッジに関する。
【背景技術】
【０００２】
従来、水道水等の水を浄化する浄水器用カートリッジとしては、水を浄化するろ材と、ろ材を収納するケーシングとを備え、かかるケーシングの端部に透明部材を設けたものが知られている（特許文献１）。この浄水器用カートリッジにおいては、図１に示すように、透明部材からなる蓋部材２を筒状体１１に固定する際、蓋部材２を筒状体１１の外側から溶着により水密に固定する。
【０００３】
しかしながら、前記のようなカートリッジは、蓋部材の嵌め合い方向に直交する方向の断面積が大きくなる場合、水圧によって大きな負荷が蓋部材にかかり、結果として溶着部にかかる負荷が大きくなり、溶着部が破損しやすくなる。そのため、アンダーシンク型浄水器等、蓋部材が大きくなる場合には、水漏れの原因になるため適用できなかった。
蓋部材が大きくなる場合に適用可能な技術として２つの方法が考えられる。１つは、蓋部材２と筒状体１１との溶着長さを溶着時の圧縮方向に長くすることにより、溶着強度を高める方法が考えられる。しかしながら、溶着時の圧縮方向における溶着長さには限界があり、現実的でない。また、蓋部材が例えば円板形状である場合、蓋部材の嵌め合い方向に直交する方向の断面積が大きくなると、蓋部材にかかる負荷は蓋部材の半径の２乗に比例して大きくなるものの、溶着強度は、半径に比例して大きくなるだけである。そのため、溶着部が破損しないようにすることは容易ではない。もう１つは、溶着を行うのではなく、蓋部材の外周面に一つのリング状弾性部材を装着し、かかる一つのリング状弾性部材を筒状体の径方向に圧縮して蓋部材を筒状体の内側に水密に固定する方法である（特許文献２）。しかしながら、この方法では、蓋部材が射出成形による樹脂成形品である場合、金型を分割構造にする必要があるが、分割した金型の合わせ面において成形品にバリや段差が発生しやすい。リング状弾性部材を装着する蓋部材側面の溝部にはバリや段差が発生すると、本来密着するはずである蓋部材とリング状弾性部材の間に微少なすき間ができ、前記浄水器用カートリッジ使用の際に水漏れが発生するおそれがある。
【特許文献１】特開２００３−３９０６１号公報
【特許文献２】国際公開第９９／４１２０３号パンフレット
【発明の開示】
【発明が解決しようとする課題】
【０００４】
本発明の目的は、蓋部材が大きくなる場合であっても、カートリッジの破損や水漏れの発生を防ぐことができる構造の浄水器用カートリッジを提供することである。
【課題を解決するための手段】
【０００５】
上記課題を解決するための本発明は、次の構成を特徴とするものである。すなわち、水を浄化するろ材と、該ろ材を収納するケーシングとを有する浄水器用カートリッジであって、前記ケーシングは、開口部を有する筒状体と、該筒状体の内部に配設固定されて前記開口部を封止する蓋部材とを有し、該蓋部材の外面と前記筒状体の内面とが溶着していることを特徴とする浄水器用カートリッジである。
【発明の効果】
【０００６】
本発明の浄水器用カートリッジによれば、筒状体の開口部を封止する蓋部材を該筒状体の内部に配設固定するとともに、該蓋部材の外面と筒状体の内面とを溶着することで、溶着部における強度を筒状体で補強することができ、ケーシングの耐圧性を高めることができる。その結果、蓋部材が大きくなって該蓋部材にかかる負荷が大きくなっても、カートリッジの破損や水漏れの発生を防ぐことができる。
【発明を実施するための最良の形態】
【０００７】
本発明の浄水器用カートリッジの一実施形態を図２に示す。浄水器用カートリッジは、開口部９を有する不透明な筒状体１１からなるケーシング１の内部に、粒状活性炭や繊維状活性炭を主成分とする、円筒形に成形された第１フィルタ３と、その第１フィルタ３の処理水を受けて細菌等を濾過する、Ｕ字形に折り曲げられた中空糸膜束から成る第２フィルタ４とが収納されて構成されている。浄水器用カートリッジの一端には原水入口５と浄水出口６があり、原水入口５には逆止弁７が、そして浄水出口６には水圧により流路が開放される逆止弁８が内蔵されている。
【０００８】
また、浄水器用カートリッジの、原水入口５と浄水出口６に対向する部分には、中空糸膜束から成る第２フィルタ４の汚れ具合を観察できるように、透視可能でかつ開口部９よりも大きな透明の蓋部材２が溶着により筒状体１１の内側から筒状体１１に取り付けられている。このとき、従来のように、蓋部材を筒状体の外側から固定したのでは、溶着してもカートリッジの内圧により溶着部が破損してしまいやすいが、本実施形態においては、蓋部材２を筒状体１１の内部に配設固定し、該蓋部材２の外側の面と筒状体１１の内側の面とを溶着するので、溶着部の強度を筒状体１１により補強することができる。その結果、耐圧性に優れ、カートリッジの破損や水漏れの発生を防ぐことができる。そのため、蓋部材が大きくなり該蓋部材にかかる負荷が大きくなるような場合にも好適に用いることができる。
【０００９】
筒状体１１は、外部からの衝撃により破損しないよう耐衝撃性に優れるＡＢＳ樹脂であることが好ましい。また、蓋部材２については、第２フィルタ４の汚れ具合を観察できるように透明性の高いＡＢＳ樹脂、ＡＳ樹脂、アクリル樹脂、ポリカーボネートのいずれかであることが好ましく、より好ましくは、透明性だけでなく耐衝撃性にも優れる透明のＡＢＳ樹脂であることが好ましい。
【００１０】
蓋部材２と筒状体１１に十分な溶着強度を持たせるためには、蓋部材２と筒状体１１の溶着しろが０．５ｍｍ以上１ｍｍ以下であることが好ましい。このとき、蓋部材２に筒状体１１との嵌合部を設け、筒状体１１と蓋部材２とのクリアランスを０．１ｍｍ以下にすると、筒状体１１の内周面と蓋部材２の外周面の溶着を均一に行うことができるため、溶着強度をさらに向上させることができより好ましい。
【００１１】
上記の浄水器用カートリッジにおいて、原水入口５へ導入された水道水は、粒状活性炭や繊維状活性炭を主成分とする、円筒形に成形された第１フィルタ３を、外側から内側へと流れることで濾過される。このとき、活性炭の作用で、水道水中に含まれる塩素が分解除去される。
【００１２】
その後、第１フィルタ３で得られた濾過水は、第１フィルタ３の内側と中空糸膜束から成る第２フィルタ４のケース外側との空間を流れ、第２フィルタ４へ流入する。第２フィルタ４では、流入した濾過水が中空糸膜の外側から内側へ流れることで、濾過水中に含まれるゴミ等を除去できる。
【図面の簡単な説明】
【００１３】
【図１】従来技術を示す浄水器用カートリッジの断面図。
【図２】本発明の一実施形態を示す浄水器用カートリッジの断面図。
【符号の説明】
【００１４】
１  ケーシング
２  蓋部材
３  第１フィルタ
４  第２フィルタ
５  原水入口
６  浄水出口
７  逆止弁
８  逆止弁
９  開口部
１０  底面部
１１  筒状体
【図１】
2009285567.tif 000003
【図２】
2009285567.tif 000004